(57)【要約】【課題】収納扉構造において、収納扉の外観を簡素化しかつ開閉動作の操作性を損なわないようにする。【解決手段】収納扉構造２は、内部が棚板８（仕切り板）によって複数の収納空間Ｓ，Ｓに仕切られた箱状の収納庫本体３の前側に開口する開口部１１，１１を一対の収納扉１２，１２によって開閉するように構成されている。収納扉１２，１２は、閉じ位置で各々の先端面１３，１３同士が棚板８の前端面８ａの位置で互いに間隔を空けて対向した状態で閉じるようになっており、各収納扉１２の先端面１３に手掛け部２２を有する把持部２０が設けられている。収納扉構造２は、両収納扉１２，１２が閉じ位置にあるときに、各目隠し部２３が収納庫本体３の前側から見て棚板８の前端面８ａの一部と重なっていて、目隠し部２３，２３により収納空間Ｓ，Ｓが隠蔽されるように構成されている。【選択図】図３
2018109265.tif 000002
【特許請求の範囲】
【請求項１】
内部が仕切り板によって複数の収納空間に仕切られた箱状の収納庫本体の前側に開口する開口部を少なくとも一対の収納扉によって開閉するようにした収納扉構造であって、
前記両収納扉は、閉じ位置で各々の先端面同士が前記仕切り板の前端面の位置で互いに間隔を空けて対向した状態で閉じるようになっており、
前記各収納扉の先端面には、該各収納扉の開閉時に該両収納扉の先端面間の間隔を通して把持するための把持部が設けられ、
前記把持部には、前記両収納扉が閉じ位置にあるときに相対する該収納扉の先端面に向かうように突出する凸状の手掛け部及び板状の目隠し部が前後に並んで設けられ、
前記手掛け部は前記収納扉の表面側に配設されている一方、前記目隠し部は該収納扉の裏面側に配設されていて、突出長さが該手掛け部よりも大きく、
前記両収納扉が閉じ位置にあるときに、前記両把持部間に使用者の指を前記手掛け部に引っ掛けるための指挿入部が設けられ、
前記両収納扉が閉じ位置にあるときに、前記目隠し部が前記収納庫本体の前側から見て前記仕切り板の前端面の少なくとも一部と重なっていて、該目隠し部により前記収納空間が隠蔽されている、収納扉構造。
【請求項２】
請求項１に記載の収納扉構造において、
前記指挿入部の大きさは前記仕切り板の厚みよりも大きい、収納扉構造。
【請求項３】
請求項１または２に記載の収納扉構造において、
前記目隠し部は前記手掛け部と別体に設けられ、
前記収納扉裏面の先端面側角部には、該収納扉の裏面を部分的に切り欠いてなる切り欠き部が形成されており、
前記切り欠き部に前記目隠し部が、該目隠し部の裏面と前記収納扉の裏面とを面一にして取り付けられている、収納扉構造。
【請求項４】
請求項１〜３のいずれか１項に記載の収納扉構造において、
前記目隠し部の裏面には、前記各収納扉の閉じ位置で前記仕切り板の前端面に当接する軟質材からなる戸当たり部が設けられている、収納扉構造。
【発明の詳細な説明】
【技術分野】
【０００１】
本発明は、収納扉構造に関するものである。
【背景技術】
【０００２】
従来、室内設置用の収納庫に適用される収納扉構造として、例えば特許文献１のようなものが提案されている。
【０００３】
特許文献１には、内部が１枚の棚板によって２つの収納空間に仕切られた箱状の収納庫本体を備え、この収納庫本体の前側に開口する一方の開口部を収納扉により開閉するようにした収納扉構造が開示されている。この収納扉は、先端部が棚板の前端面の一部を覆った状態で閉じ、かつ先端部に使用者の手を掛けて左右のいずれか一方に開閉する片開き構成になっている。
【先行技術文献】
【特許文献】
【０００４】
【特許文献１】特開２０１４−１４５１９６号公報
【発明の概要】
【発明が解決しようとする課題】
【０００５】
ところで、特許文献１の収納扉構造を、他方の開口部にも収納扉を設けて両開きの構成にした場合、収納庫本体の収納空間を隠蔽するために各収納扉の先端部により棚板の前端面が覆われることになる。また、例えば収納扉の表面を一様な平坦面にするために収納扉の先端面に引手部材を別途設けた構成にした場合であっても、収納庫本体の収納空間を隠蔽するために各収納扉の先端部および引手部材により棚板の前端面が覆われることになる。その結果、両収納扉の先端面同士（あるいは引手部材同士）の隙間が狭くなり、該隙間に使用者の指が挿入しにくく、収納扉における開閉動作の操作性が損なわれてしまう。
【０００６】
一方、例えば引手部材を収納扉の表面に別途取り付けた構成にした場合、両収納扉における先端面同士の隙間の大きさに関わりなく、開閉動作の操作性が改善されることになる。しかしながら、このような構成では、別途設けられた引手部材の存在により収納扉の表面が一様な平坦面にならないため、収納扉の外観を簡素化することができなくなってしまう。
【０００７】
本発明は斯かる点に鑑みてなされたものであり、その目的は、収納扉の外観を簡素化するとともに、収納扉における開閉動作の操作性を損なわないようにすることにある。
【課題を解決するための手段】
【０００８】
上記の目的を達成するために、本発明では、収納庫に配置される仕切り板の前端面と収納扉の先端面との位置関係に着目し、収納扉の先端面に設ける把持部の構造に工夫を加えることで、収納扉の外観を簡素化しかつその開閉動作の操作性を損なわないようにした。
【０００９】
具体的に、本発明の第１の形態は収納扉構造に係るものであり、この収納扉構造は、内部が仕切り板によって複数の収納空間に仕切られた箱状の収納庫本体の前側に開口する開口部を少なくとも一対の収納扉によって開閉するようにしたものである。両収納扉は、閉じ位置で各々の先端面同士が仕切り板の前端面の位置で互いに間隔を空けて対向した状態で閉じるようになっている。各収納扉の先端面には、該各収納扉の開閉時に両収納扉の先端面間の間隔を通して把持するための把持部が設けられている。把持部には、両収納扉が閉じ位置にあるときに相対する収納扉の先端面に向かうように突出する凸状の手掛け部及び板状の目隠し部が前後に並んで設けられている。手掛け部は収納扉の表面側に配設されている一方、目隠し部は収納扉の裏面側に配設されていて、突出長さが手掛け部よりも大きい。そして、両収納扉が閉じ位置にあるときに、両把持部間に使用者の指を手掛け部に引っ掛けるための指挿入部が設けられ、両収納扉が閉じ位置にあるときに、目隠し部が収納庫本体の前側から見て仕切り板の前端面の少なくとも一部と重なっていて、該目隠し部により収納空間が隠蔽されていることを特徴とする。
【００１０】
第１の形態では、一対の収納扉が閉じ位置で各々の先端面同士が仕切り板の前端面の位置で互いに間隔を空けて対向した状態で閉じるようになっており、各収納扉の先端面に手掛け部を有する把持部が設けられている。このため、各収納扉の表面に引手部材を別途設ける必要がなく、各収納扉の表面を一様な平坦面にすることが可能となる。また、収納扉構造は、両収納扉が閉じ位置にあるときに、各目隠し部が収納庫本体の前側から見て仕切り板の前端面の一部と重なっていて、目隠し部により収納空間が隠蔽されるように構成されている。このため、両把持部間の指挿入部を両収納扉の閉じ位置で使用者の指が十分に挿入可能な大きさに構成しつつ、収納庫本体の各収納空間を各把持部の目隠し部で外部から見えないようにすることが可能となる。したがって、第１の形態では、把持部により収納扉の外観を簡素化することができるとともに、収納扉における開閉動作の操作性を損なわないようにすることができる。
【００１１】
第２の形態は、第１の形態において、指挿入部の大きさは仕切り板の厚みよりも大きい
ことを特徴とする。
【００１２】
第２の形態では、指挿入部の大きさが仕切り板の厚みよりも大きいため、使用者の指を両収納扉の閉じ位置で指挿入部に挿入しやすくなり、各収納扉における開閉動作の操作性を向上させることができる。
【００１３】
第３の形態は、第１または第２の形態において、目隠し部は手掛け部と別体に設けられ、収納扉裏面の先端面側角部には、該収納扉の裏面を部分的に切り欠いてなる切り欠き部が形成されており、切り欠き部に目隠し部が、該目隠し部の裏面と収納扉の裏面とを面一にして取り付けられていることを特徴とする。
【００１４】
第３の形態では、手掛け部と別体に設けられた目隠し部が収納扉裏面の切り欠き部に目隠し部の裏面と収納扉の裏面とを面一にして取り付けられているため、仕切り板の前端面と各収納扉の裏面との間隔が小さくなり収納庫本体に対する各収納扉の納まりをコンパクトにすることができるとともに、目隠し部を収納扉に対して位置ずれしないように容易に取り付けることができる。また、手掛け部と目隠し部とが別体に設けられているため、それぞれを適宜の大きさに形成しかつ自由に組み合わせることが可能となり、手掛け部と指挿入部との位置関係を調整した上で手掛け部に対する使用者の手の手掛り具合を任意に設定することもできる。
【００１５】
第４の形態は、第１〜第３の形態のいずれか１つの形態において、目隠し部の裏面には、各収納扉の閉じ位置で仕切り板の前端面に当接する軟質材からなる戸当たり部が設けられていることを特徴とする。
【００１６】
第４の形態では、目隠し部の裏面に各収納扉の閉じ位置で仕切り板の前端面に当接する戸当たり部が設けられているため、各収納扉を閉じたときに戸当たり部が仕切り板の前端面に当接して収納扉と仕切り板の前端面との間に生じる衝撃を和らげることができる。
【発明の効果】
【００１７】
以上説明したように、本発明によると、把持部により収納扉の外観を簡素化することができるとともに、収納扉における開閉動作の操作性を損なわないようにすることができる。
【図面の簡単な説明】
【００１８】
【図１】図１は、本発明の実施形態１に係る収納扉およびそれを備えた収納庫の全体斜視図である。
【図２】図２は、両収納扉を取り付ける前の状態における収納庫本体の斜視図である。
【図３】図３は、図１のIII−III線断面図である。
【図４】図４は、収納扉を後方から見て示す斜視図である。
【図５】図５は、収納扉および把持部の分解斜視図である。
【図６】図６は、本発明の実施形態２に係る収納扉およびそれを備えた収納庫の図１相当図である。
【図７】図７は、実施形態２に係る収納庫本体の図２相当図である。
【図８】図８は、その他の実施形態に係る収納扉およびそれを備えた収納庫の図１相当図である。
【発明を実施するための形態】
【００１９】
以下、本発明の実施形態を図面に基づいて詳細に説明する。以下の各実施形態の説明は、本質的に例示に過ぎず、本発明、その適用物或いはその用途を制限することを意図するものではない。
【００２０】
［実施形態１］
図１は、本発明の実施形態１に係る収納扉構造２を備えた収納庫１の全体を示している。この収納庫１は、例えば玄関、キッチン、リビング、寝室などの室内に設置される収納庫として用いられる。
【００２１】
図１および図２に示すように、収納庫１は、箱状の収納庫本体３を備えている。具体的に、収納庫本体３は、左右の側板４，４と、両側板４，４の下端部間に架け渡されて配置された水平方向の底板５と、両側板４，４の上部間に架け渡されて配置された水平方向の天板６と、両側板４，４の後端部間に架け渡されて配置された垂直方向の背板７と、両側板４，４の上下方向中央部間に架け渡されて配置された水平方向の棚板８とを有している。左右の側板４，４、底板５、天板６、背板７、および棚板８の各々は、例えばＭＤＦ、合板、ＬＶＬ、ＬＶＳ、パーティクルボード等の木質材料からなる。また、棚板８は、収納庫本体３の内部を複数の収納空間Ｓ，Ｓに仕切るための仕切り板として構成されている。
【００２２】
図２に示すように、収納庫本体３は前側に開口する開口部１１，１１を有している。図１に示すように、開口部１１，１１には、底板５の前端部および天板６の前端部のそれぞれに取り付けられたヒンジ部（図示せず）により上下方向（図１に示す矢印方向を参照）に開閉可能な上下一対の収納扉１２，１２が取り付けられている。各収納扉１２は、例えばＭＤＦ、合板、ＬＶＬ、ＬＶＳ、パーティクルボード等の木質材料からなる。また、図３に示すように、上下一対の収納扉１２，１２は、各々の先端面１３，１３同士が棚板８の前端面８ａの位置で互いに間隔を空けて対向した状態で閉じるように構成されている。
【００２３】
図３〜図５に示すように、収納庫本体３の下部に配設された収納扉１２において、この収納扉１２裏面の上端面（先端面１３）側角部には、収納扉１２の裏面を部分的に切り欠いてなる切り欠き部１４が形成されている。一方、図３に示すように、収納庫本体３の上部に配設された収納扉１２についても、収納扉１２裏面の下端面（先端面１３）側角部に上記と同様の切り欠き部１４が形成されている。
【００２４】
次に、図３に示すように、各収納扉１２の先端面１３には、各収納扉１２の開閉時に両収納扉１２，１２の先端面１３，１３間の間隔を通して把持するための把持部２０が設けられている。両収納扉１２，１２が閉じ位置にあるとき、両把持部２０，２０間には、使用者の指を後述の各手掛け部２２に引っ掛けるための指挿入部１５が形成されている。指挿入部１５は、その大きさが棚板８の厚みよりも大きくなるように形成されている。
【００２５】
図４および図５にも示すように、把持部２０は、板状の台座部２１と、収納扉１２の表面側に台座部２１と一体に設けられた凸状の手掛け部２２とを有している。台座部２１および手掛け部２２は、収納扉１２の先端面１３における長手方向に沿って延びるように形成されている。台座部２１は、裏面２１ｂ（収納扉１２の先端面１３に対向する面）が収納扉１２の先端面１３に対し接着剤などで固着された状態で収納扉１２に取り付けられている。手掛け部２２は、両収納扉１２，１２が閉じ位置にあるときに台座部２１の表面２１ａから相対する収納扉１２の先端面１３に向かうように突出している。
【００２６】
また、図３〜図５に示すように、把持部２０は、収納扉１２の裏面側に設けられた板状の目隠し部２３を有している。すなわち、把持部２０は、手掛け部２２および目隠し部２３の各々が収納扉１２の先端面１３の位置で収納扉１２の厚み方向（収納庫本体３の前後方向）に間隔をあけて並ぶように構成されている。
【００２７】
目隠し部２３は、収納扉１２の先端面１３における長手方向に沿って延びるように形成されていて、両収納扉１２，１２が閉じ位置にあるときに相対する収納扉１２の先端面１３に向かうように突出している。さらに、目隠し部２３は、収納扉１２の先端面１３からの突出長さが手掛け部２２の突出長さよりも大きくなるように形成されている。
【００２８】
ここで、目隠し部２３表面の後端面側角部には、目隠し部２３の後端面を部分的に切り欠いてなる取付部２４が形成されている。そして、目隠し部２３は、取付部２４が収納扉１２の切り欠き部１４に対し接着剤などで固着された状態で収納扉１２に取り付けられている。このように、取付部２４が切り欠き部１４に取り付けられた状態において、目隠し部２３は、その裏面（両収納扉１２，１２の閉じ位置で棚板８の前端面８ａに対向する面）が収納扉１２の裏面と面一になるように構成されている。なお、本実施形態では、目隠し部２３が台座部２１および手掛け部２２と別体に設けられている。
【００２９】
さらに、図３〜図５に示すように、目隠し部２３の裏面には、各収納扉１２の閉じ位置で棚板８の前端面８ａに当接する戸当たり部２５が設けられている。この戸当たり部２５は、例えば軟質の樹脂材からなり、断面視で略Ｃ字状に形成されている。また、戸当たり部２５は、収納扉１２の先端面１３における長手方向に沿って延びており、先端側の端縁部が目隠し部２３裏面の先端部に対し接着剤などで固着された状態で把持部２０に取り付けられている。
【００３０】
［実施形態１の作用効果］
以上のように、上下一対の収納扉１２，１２は、閉じ位置で各々の先端面１３，１３同士が棚板８（仕切り板）の前端面８ａの位置で互いに間隔を空けて対向した状態で閉じるようになっており、各収納扉１２の先端面１３に手掛け部２２を有する把持部２０が設けられている。このため、収納扉１２，１２の表面に引手部材を別途設ける必要がなく、各収納扉１２の表面を一様な平坦面にすることが可能となる。そして、収納扉構造２は、両収納扉１２，１２が閉じ位置にあるときに、各目隠し部２３が収納庫本体３の前側から見て棚板８の前端面８ａの一部と重なっていて、目隠し部２３，２３により収納空間Ｓ，Ｓが隠蔽されるように構成されている。このため、両把持部２０，２０間の指挿入部１５を両収納扉１２，１２の閉じ位置で使用者の指が十分に挿入可能な大きさに構成しつつ、収納庫本体３の各収納空間Ｓを各把持部２０の目隠し部２３で外部から見えないようにすることが可能となる。したがって、収納扉構造２では、把持部２０，２０により収納扉１２，１２の外観を簡素化することができるとともに、収納扉１２，１２における開閉動作の操作性を損なわないようにすることができる。
【００３１】
また、指挿入部１５の大きさが棚板８の厚みよりも大きいため、使用者の指を両収納扉１２，１２の閉じ位置で指挿入部１５に挿入しやすくなり、各収納扉１２における開閉動作の操作性を向上させることができる。
【００３２】
また、手掛け部２２と別体に設けられた目隠し部２３は、収納扉１２裏面の先端面１３側角部に形成された切り欠き部１４に目隠し部２３の裏面と収納扉１２の裏面とを面一にして取り付けられている。このため、棚板８の前端面８ａと各収納扉１２の裏面との間隔が小さくなり収納庫本体３に対する各収納扉１２の納まりをコンパクトにすることができるとともに、各目隠し部２３を各収納扉１２に対して位置ずれしないように容易に取り付けることができる。また、手掛け部２２と目隠し部２３とが別体に設けられているため、それぞれを適宜の大きさに形成しかつ自由に組み合わせることが可能となり、手掛け部２２と指挿入部１５との位置関係を調整した上で手掛け部２２に対する使用者の手の手掛り具合を任意に設定することもできる。
【００３３】
さらに、各目隠し部２３の裏面には、両収納扉１２，１２の閉じ位置で棚板８の前端面８ａに当接する軟質材からなる戸当たり部２５が設けられている。このため、各収納扉１２を閉じたときに戸当たり部２５が棚板８の前端面８ａに当接して各収納扉１２と棚板８の前端面８ａとの間に生じる衝撃を和らげることができる。
【００３４】
［実施形態２］
図６および図７は、本発明の実施形態２に係る収納扉構造２を備えた収納庫１を示すものである。この実施形態では、上記実施形態１と比較して、仕切り板の構成および収納扉１２，１２の開閉方向が異なっている。なお、この実施形態に係る収納庫１および収納扉構造２の他の構成は、上記実施形態に係る収納庫１および収納扉構造２の構成と同様である。このため、以下の説明では、図１〜図５と同じ部分について同じ符号を付し、その詳細な説明を省略する。
【００３５】
図６および図７に示すように、この実施形態において、収納庫本体３は、天板６および底板５の左右方向中央部間に架け渡されて配置された垂直方向の中側板３０を有している。中側板３０は、例えばＭＤＦ、合板、ＬＶＬ、ＬＶＳ、パーティクルボード等の木質材料からなり、収納庫本体３の内部を複数の収納空間Ｓ，Ｓに仕切るための仕切り板として構成されている。なお、この実施形態では、収納庫本体３に棚板８が設けられていない形態を示しているが、この形態に限定されず、各側板４と中側板３０との間に棚板８が設けられていてもよい。
【００３６】
また、収納庫本体３の開口部１１，１１には、両側板４，４の前端部のそれぞれに取り付けられたヒンジ部（図示せず）により左右方向（図６に示す矢印方向を参照）に開閉可能な左右一対の収納扉１２，１２が取り付けられている。左右一対の収納扉１２，１２は、各々の先端面１３同士が中側板３０の前端面の位置で互いに間隔を空けて対向した状態で閉じるように構成されている。さらに、指挿入部１５は、その大きさが中側板３０の厚みよりも大きくなるように形成されている。
【００３７】
以上のように、左右一対の収納扉１２，１２は、閉じ位置で各々の先端面１３，１３同士が中側板３０（仕切り板）の前端面３０ａの位置で互いに間隔を空けて対向した状態で閉じるようになっている。そして、収納扉構造２は、両収納扉１２，１２が閉じ位置にあるときに、各目隠し部２３が収納庫１の前側から見て中側板３０の前端面３０ａの一部と重なっていて、目隠し部２３，２３により収納空間Ｓ，Ｓが隠蔽されるように構成されている。このような収納扉構造２であっても、上記実施形態１と同様に、把持部２０により収納扉１２，１２の外観を簡素化することができるとともに、収納扉１２，１２における開閉動作の操作性を損なわないようにすることができる。
【００３８】
［その他の実施形態］
上記実施形態１に係る収納扉構造２では、棚板８を有する収納庫本体３に対し上下方向に開閉可能な上下一対の収納扉１２，１２を取り付けた形態を示したが、この形態に限られない。具体的には、図８に示すように、収納扉構造２として、上下一対の収納扉１２，１２を、図示しないヒンジ部を一方の側板４（例えば図８に示す左側の側板４）の前端部に取り付けた状態で棚板８を有する収納庫本体３に対し左右方向（図８に示す矢印方向）に開閉可能とした形態であってもよい。そして、使用者が各収納扉１２の先端面１３に設けられた把持部２０の手掛け部２２を手前に引くことにより、各収納扉１２が収納庫本体３に対し左右方向に開閉するようになる。このような形態であっても、収納扉構造２は、両収納扉１２，１２が閉じ位置にあるときに、各目隠し部２３が収納庫本体３の前側から見て棚板８の前端面８ａの一部と重なっていて、目隠し部２３，２３により収納空間Ｓ，Ｓが隠蔽されるように構成されているため、上記実施形態１と同様の効果を奏しうる。
【００３９】
また、上記各実施形態に係る収納扉構造２では、指挿入部１５の大きさが仕切り板（棚板８または中側板３０）の厚みよりも大きい形態を示したが、この形態に限定されない。すなわち、指挿入部１５の大きさは、少なくとも仕切り板（棚板８または中側板３０）の厚みと同じ大きさに形成されていればよい。
【００４０】
また、上記各実施形態に係る収納扉構造２では、目隠し部２３が台座部２１および手掛け部２２と別体に設けられた形態を示したが、この形態に限られない。すなわち、目隠し部２３は、台座部２１および手掛け部２２と一体に設けられていてもよい。
【００４１】
また、各実施形態に係る収納扉構造２では、仕切り板として棚板８または中側板３０がそれぞれ１枚ずつ配設された収納庫本体３を備える形態を示したが、この形態に限られない。すなわち、収納庫本体３は、複数の棚板８，８，…または複数の中側板３０，３０，…を備える形態であってもよい。
【００４２】
さらに、各実施形態に係る収納扉構造２では、上下一対の収納扉１２，１２または左右一対の収納扉１２，１２を備える形態をそれぞれ示したが、この形態に限られない。すなわち、収納扉構造２は、上記実施形態１で示した上下一対の収納扉１２，１２と上記実施形態２で示した左右一対の収納扉１２，１２とを適宜組み合わせた形態であってもよい。
【００４３】
以上、本発明についての実施形態を説明したが、本発明は上述の実施形態のみに限定されず、発明の範囲内で種々の変更が可能である。
【産業上の利用可能性】
【００４４】
本発明は、室内設置用の収納庫に適用される収納扉構造として産業上の利用が可能である。
【符号の説明】
【００４５】
１：収納庫
２：収納扉構造
３：収納庫本体
８：棚板（仕切り板）
３０：中側板（仕切り板）
１１：開口部
１２：収納扉
１４：切り欠き部
１５：指挿入部
２０：把持部
２２：手掛け部
２３：目隠し部
２５：戸当たり部
Ｓ：収納空間
【図１】
2018109265.tif 000003
【図２】
2018109265.tif 000004
【図３】
2018109265.tif 000005
【図４】
2018109265.tif 000006
【図５】
2018109265.tif 000007
【図６】
2018109265.tif 000008
【図７】
2018109265.tif 000009
【図８】
2018109265.tif 000010